(57)【要約】【課題】回転操作部材となっているねじ部材を回転操作しても、このねじ部材が螺合しているねじ部材がささら桁に溶接等で固定されていなくても共回りすることを阻止できる仮設足場用角度可変梯子を提供すること。【解決手段】仮設足場に傾斜角度を変更して配置できる角度可変梯子は、上下２組のささら桁２Ａ，２Ｂのずれ移動を止めるために雄ねじ部材３３と雌ねじ部材３４を有するストップ手段３０を備えており、雄ねじ部材３３と雌ねじ部材３４のうち、一方は、ささら桁２Ｂに結合された板状部材３１に形成されている湾曲状の長孔４１に挿入されるねじ部材であり、他方は回転操作されるねじ部材であり、一方のねじ部材には、長孔４１に窪み部４１Ａ等として設けられている係合部に係合して、他方のねじ部材と一体に一方のねじ部材が共回りすることを阻止するための角部３８等による回り止め部が設けられている。【選択図】図５
2019099993.tif 000002
【特許請求の範囲】
【請求項１】
仮設足場に傾斜して配置され、一対のささら桁の間に昇降方向に間隔をあけて複数個の踏み板が並設されている梯子であって、
前記一対のささら桁が上下２組設けられ、これらの組における前記ささら桁に前記複数個の踏み板がこれらの踏み板の前後方向に離れた二箇所で回動自在に連結されていることにより平行リンク機構が構成され、前記ささら桁の上部に、前記上下２組のささら桁についてのささら桁長さ方向へのずれ移動を止めるためのストップ手段が設けられ、このストップ手段が、前記上下２組のささら桁のうち、一方のささら桁に結合されていて、湾曲状の長孔が形成された板状部材と、雄ねじが形成された雄ねじ部材と、前記雄ねじに螺合する雌ねじが形成された雌ねじ部材とを含んで構成され、前記雄ねじ部材と前記雌ねじ部材とのうち、一方のねじ部材は前記湾曲状の長孔に挿入され、前記雄ねじ部材と前記雌ねじ部材のどちらかが、残りのねじ部材に対して回転操作される回転操作部材となっているとともに、前記残りのねじ部材は、前記上下２組のささら桁のうち、他方のささら桁に連結され、前記回転操作部材の回転操作で前記雄ねじ部材と前記雌ねじ部材が前記板状部材を挟着して前記上下２組のささら桁についてのささら桁長さ方向へのずれ移動が止められる仮設足場用角度可変梯子において、
前記回転操作部材は、前記雄ねじ部材と前記雌ねじ部材とのうち、他方のねじ部材であり、前記湾曲状の長孔に挿入される前記一方のねじ部材には、回り止め部が設けられているとともに、前記湾曲状の長孔には、この回り止め部が係合する係合部が設けられ、この係合部が、前記湾曲状の長孔の長さ方向に複数個設けられていることを特徴とする仮設足場用角度可変梯子。
【請求項２】
請求項１に記載の仮設足場用角度可変梯子において、前記回り止め部は、前記一方のねじ部材の外径方向に突出した突出部となっており、前記係合部は、前記湾曲状の長孔の幅方向外側へ窪んだ窪み部となっていることを特徴とする仮設足場用角度可変梯子。
【請求項３】
請求項２に記載の仮設足場用角度可変梯子において、前記一方のねじ部材には、このねじ部材の軸方向と直交する断面形状が四角形となっている四角形部が設けられ、この四角形部の４個の角部が前記突出部となっていることを特徴とする仮設足場用角度可変梯子。
【請求項４】
請求項１〜３のいずれかに記載の仮設足場用角度可変梯子において、前記他方のささら桁には、前記一方のねじ部材が挿入された丸孔が形成されている連結部材が結合されており、前記回転操作部材の回転操作で前記雄ねじ部材と前記雌ねじ部材が前記板状部材と前記連結部材を挟着することを特徴とする仮設足場用角度可変梯子。
【請求項５】
請求項４に記載の仮設足場用角度可変梯子において、前記一方のねじ部材の軸方向の端部には頭部が設けられ、この頭部が前記回転操作部材の回転操作で前記板状部材と前記連結部材のうちの一方に当接することにより、前記雄ねじ部材と前記雌ねじ部材が前記板状部材と前記連結部材を挟着することを特徴とする仮設足場用角度可変梯子。
【請求項６】
請求項１〜５のいずれかに記載の仮設足場用角度可変梯子において、前記一方のねじ部材及び前記残りのねじ部材は、前記雄ねじ部材であり、前記回転操作部材となっている前記他方のねじ部材は、前記雌ねじ部材であることを特徴とする仮設足場用角度可変梯子。
【請求項７】
請求項１〜６のいずれかに記載の仮設足場用角度可変梯子において、前記板状部材には、前記湾曲状の長孔が形成されている本体部から角度をなして屈曲している補強部が設けられていることを特徴とする仮設足場用角度可変梯子。
【発明の詳細な説明】
【技術分野】
【０００１】
本発明は、建築や土木等の作業現場で構築される仮設足場のための梯子に係り、特に、仮設足場に配置する際の傾斜角度を変化させることができる仮設足場用角度可変梯子に関する。
【背景技術】
【０００２】
建築や土木等の作業現場で構築される仮設足場には、作業者が昇降するための梯子が配置され、この梯子の一つが下記の特許文献１に示され、この梯子は、仮設足場に配置する際の傾斜角度を変化させて、昇降できる高さを変更できるようにした角度可変梯子となっている。
【０００３】
特許文献１の角度可変梯子は、仮設足場に傾斜して配置され、一対のささら桁の間に昇降方向に間隔をあけて複数個の踏み板が並設されている梯子であって、一対のささら桁が上下２組設けられ、これらの組におけるささら桁に複数個の踏み板がこれらの踏み板の前後方向に離れた二箇所で回動自在に連結されることにより平行リンク機構が構成されたものとなっている。このため、上下２組のささら桁についてのささら桁長さ方向へのずれ移動を生じさせることにより、この角度可変梯子を仮設足場に配置する際の傾斜角度を変化させて、昇降できる高さを変更できるとともに、それぞれの傾斜角度において、それぞれの踏み板を水平又は略水平にすることができる。
【０００４】
そして、特許文献１の角度可変梯子には、仮設足場に配置したときの傾斜角度を一定に維持できるようにするために、ささら桁の上部に、上下２組のささら桁についてのささら桁長さ方向へのずれ移動を止めるためのストップ手段が設けられている。このストップ手段は、上下２組のささら桁のうち、一方のささら桁に結合されていて、湾曲状の長孔が形成された板状部材と、雄ねじが形成された雄ねじ部材と、雄ねじに螺合する雌ねじが形成された雌ねじ部材となっているナットとを含んで構成され、雄ねじ部材と雌ねじ部材とのうち、雄ねじ部材は湾曲状の長孔に挿入され、また、雄ねじ部材はナットに対して回転操作される回転操作部材となっているとともに、ナットは、上下２組のささら桁のうち、他方のささら桁に結合され、雄ねじ部材を湾曲状の長孔に段状に複数個形成されている窪み部の一つに嵌合した後に、雄ねじ部材の回転操作で雄ねじ部材とナットとで板状部材を挟着することにより、上下２組のささら桁についてのささら桁長さ方向へのずれ移動が止められるようになっている。
【先行技術文献】
【特許文献】
【０００５】
【特許文献１】特開平１１−１０７５２０号公報
【発明の概要】
【発明が解決しようとする課題】
【０００６】
特許文献１の角度可変梯子では、回転操作部材となっている雄ねじ部材を、雌ねじ部材となっているナットに対して回転操作したときに、このナットが雄ねじ部材と共回りしないようにするために、このナットは、上述の他方のささら桁に溶接等で固定して取り付けられている。
【０００７】
本発明の目的は、回転操作部材となっているねじ部材を回転操作しても、このねじ部材が螺合しているねじ部材がささら桁に溶接等で固定されていなくても共回りすることを阻止できるようになる仮設足場用角度可変梯子を提供するところにある。
【課題を解決するための手段】
【０００８】
本発明に係る仮設足場用角度可変梯子は、仮設足場に傾斜して配置され、一対のささら桁の間に昇降方向に間隔をあけて複数個の踏み板が並設されている梯子であって、前記一対のささら桁が上下２組設けられ、これらの組における前記ささら桁に前記複数個の踏み板がこれらの踏み板の前後方向に離れた二箇所で回動自在に連結されていることにより平行リンク機構が構成され、前記ささら桁の上部に、前記上下２組のささら桁についてのささら桁長さ方向へのずれ移動を止めるためのストップ手段が設けられ、このストップ手段が、前記上下２組のささら桁のうち、一方のささら桁に結合されていて、湾曲状の長孔が形成された板状部材と、雄ねじが形成された雄ねじ部材と、前記雄ねじに螺合する雌ねじが形成された雌ねじ部材とを含んで構成され、前記雄ねじ部材と前記雌ねじ部材とのうち、一方のねじ部材は前記湾曲状の長孔に挿入され、前記雄ねじ部材と前記雌ねじ部材のどちらかが、残りのねじ部材に対して回転操作される回転操作部材となっているとともに、前記残りのねじ部材は、前記上下２組のささら桁のうち、他方のささら桁に連結され、前記回転操作部材の回転操作で前記雄ねじ部材と前記雌ねじ部材が前記板状部材を挟着して前記上下２組のささら桁についてのささら桁長さ方向へのずれ移動が止められる仮設足場用角度可変梯子において、前記回転操作部材は、前記雄ねじ部材と前記雌ねじ部材とのうち、他方のねじ部材であり、前記湾曲状の長孔に挿入される前記一方のねじ部材には、回り止め部が設けられているとともに、前記湾曲状の長孔には、この回り止め部が係合する係合部が設けられ、この係合部が、前記湾曲状の長孔の長さ方向に複数個設けられていることを特徴とするものである。
【０００９】
この仮設足場用角度可変梯子では、雄ねじ部材と雌ねじ部材とのうち、湾曲状の長孔に挿入される一方のねじ部材には、回り止め部が設けられ、そして、湾曲状の長孔には、この回り止め部が係合する係合部が設けられているため、雄ねじ部材と雌ねじ部材のうち、回転操作される回転操作部材となっている他方のねじ部材が回転操作されても、このねじ部材が螺合している前記一方ねじ部材が共回りすることが、係合部に係合した回り止め部により阻止されることになる。このため、前記残りのねじ部材、言い換えると、前記一方のねじ部材を、上下２組のささら桁のうち、上述の他方のささら桁に連結するためには、このささら桁に一方のねじ部材を溶接等で固定する作業は不要になり、このため、この一方のねじ部材を上述の他方のささら桁に連結するための構造や作業を簡単化することができる。
【００１０】
また、一方のねじ部材に設けられている回り止め部が係合する係合部は、湾曲状の長孔の長さ方向に複数個設けられているため、上下２組のささら桁についてのささら桁長さ方向へのずれ移動を生じさせて、仮設足場に設置する際の角度可変梯子の傾斜角度を調整する作業を行っても、それぞれの傾斜角度において、上述した共回りを阻止することができる。
【００１１】
以上の本発明において、湾曲状の長孔に挿入される前記一方のねじ部材に設ける回り止め部と、湾曲状の長孔に設ける係合部は、この係合部に回り止め部が係合することにより、雄ねじ部材と雌ねじ部材のうち、回転操作される回転操作部材となってねじ部材が回転操作されても、このねじ部材が螺合しているねじ部材が共回りしないものであれば、任意の構成のものとすることができ、その一例は、回り止め部を、前記一方のねじ部材の外径方向に突出した突出部とし、係合部を、湾曲状の長孔の幅方向外側へ窪んだ窪み部とすることである。
【００１２】
また、このように回り止め部を、前記一方のねじ部材の外径方向に突出した突出部とし、係合部を、湾曲状の長孔の幅方向外側へ窪んだ窪み部とする場合には、前記一方のねじ部材に、このねじ部材の軸方向と直交する断面形状が四角形となっている四角形部を設け、この四角形部の４個の角部を前記突出部としてもよい。
【００１３】
また、回転操作部材が回転操作されても共回りが阻止されるねじ部材、言い換えると、前記一方のねじ部材を前述の他方のささら桁に連結するためには、例えば、他方のささら桁に、前記一方のねじ部材を挿入するための丸孔が設けられた連結部材を結合し、この連結部材の丸孔に前記一方のねじ部材を挿入することにより、この一方のねじ部材を前述の他方のささら桁に連結する構造としてもよく、このようにした場合には、回転操作部材の回転操作により、前述の雄ねじ部材と雌ねじ部材になっている一方のねじ部材と他方のねじ部材が前記板状部材と前記連結部材を挟着することになる。
【００１４】
そして、このように一方のねじ部材と他方のねじ部材が板状部材と連結部材を挟着するためには、一方のねじ部材の軸方向の端部に頭部を設け、この頭部が回転操作部材の回転操作で板状部材と連結部材のうちの一方に当接することにより、前述の雄ねじ部材と雌ねじ部材になっている一方のねじ部材と他方のねじ部材が板状部材と連結部材を挟着するようにしてもよい。
【００１５】
以上説明した本発明において、前記一方のねじ部材及び前記残りのねじ部材を前記雄ねじ部材とし、回転操作部材となっている前記他方のねじ部材を前記雌ねじ部材としてもよく、あるいは、前記一方のねじ部材及び前記残りのねじ部材を前記雌ねじ部材とし、回転操作部材となっている前記他方のねじ部材を前記雄ねじ部材としてもよい。
【００１６】
また、前述した湾曲状の長孔が形成されている板状部材は、平面的形状を有するものでもよく、あるいは、湾曲状の長孔が形成されている本体部から角度をなして屈曲している補強部が設けられているものでもよい。後者によると、補強部によって湾曲状の長孔が形成されている本体部が補強されて、湾曲状の長孔の変形を防止できることになり、これにより、前記一方のねじ部材が回転操作部材の回転操作としたときに共回りすることを阻止するために、湾曲状の長孔に設けられた前記係合部に前記一方のねじ部材の回り止め部を係合させることを一層確実に実施できるようになる。
【発明の効果】
【００１７】
本発明によると、回転操作部材となっているねじ部材を回転操作しても、このねじ部材が螺合しているねじ部材がささら桁に溶接等で固定されていなくても共回りすることを阻止でき、これにより、構造の簡単化を図ることができるという効果を得られる。
【図面の簡単な説明】
【００１８】
【図１】図１は、本発明の一実施形態に係る仮設足場用角度可変梯子の全体を示す斜視図である。
【図２】図２は、図１の仮設足場用角度可変梯子の側面図である。
【図３】図３は、図１及び図２の仮設足場用角度可変梯子の平面図である。
【図４】図４は、ささら桁の上部に設けられているストップ手段を示す図２の一部拡大図である。
【図５】図５は、ストップ手段の斜視図であって、ストップ手段の構成部材である雄ねじ部材と雌ねじ部材を分離して示した図である。
【図６】図６は、ストップ手段の構成部材である板状部材を示し、（Ａ）は正面図、（Ｂ）は側面図である。
【図７】図７は、板状部材の湾曲状の長孔に雄ねじ部材が共回りが阻止されて挿入されることを示す図である。
【図８】図８は、湾曲状の長孔に雄ねじ部材が共回りが阻止されて挿入されるときにおける板状部材と雄ねじ部材と雌ねじ部材の関係を示す断面図である。
【図９】図９は、仮設足場用角度可変梯子を仮設足場に傾斜角度を大きくして配置したときを示す側面図である。
【図１０】図１０は、仮設足場用角度可変梯子を仮設足場に傾斜角度を小さくして配置したときを示す側面図である。
【図１１】図１１は、別実施形態にかかるストップ手段を示す図８と同様の図である。
【発明を実施するための形態】
【００１９】
以下に本発明を実施するための形態を図面に基づいて説明する。図１には、本発明の一実施形態に係る仮設足場用角度可変梯子１の全体の斜視図が示され、図２は、この角度可変梯子１の側面図であり、図３は、角度可変梯子１の平面図である。角度可変梯子１は、一対のささら桁２の間に昇降方向に間隔をあけて複数個の踏み板３が並設されているものであって、一対のささら桁２は上下２組設けられており、このため、この角度可変梯子１は、一対のささら桁２として、上側のささら桁２Ａと下側のささら桁２Ｂとを備えて構成されたものとなっている。
【００２０】
それぞれの踏み板３は、上側のささら桁２Ａと下側のささら桁２Ｂに架け渡され、これらの踏み板３の側面前部は、下側のささら桁２Ｂにピン４で連結されているとともに、側面後部は、上側のささら桁２Ａにピン５で連結されている。また、上側のささら桁２Ａの下端部と下側のささら桁２Ｂの下端部とに脚座部材６が配置され、一対のささら桁２のそれぞれごとに設けられているこの脚座部材６の側面前部は、下側のささら桁２Ｂにピン７で連結され、側面後部は、上側のささら桁２Ａにピン８で連結されている。このため、ピン４，５を中心に踏み板３はささら桁２Ａ，２Ｂに対して回動自在となっており、また、ピン７，８を中心に脚座部材６もささら桁２Ａ，２Ｂに対して回動自在となっている。なお、ピン４とピン５との間の間隔は、ピン７とピン８との間の間隔と同じである。
【００２１】
以上のようにそれぞれの踏み板３は、これらの踏み板３の前後方向に離れた二箇所でピン４，５によりささら桁２Ａ，２Ｂに連結され、脚座部材６も、この脚材部材６の前後方向に離れた二箇所でピ７，８によりささら桁２Ａ，２Ｂに連結されているため、上側のささら桁２Ａと下側のささら桁２Ｂと踏み板３と脚座部材６とにより、上側のささら桁２Ａと下側のささら桁２Ｂとが長辺部を形成している平行リンク機構が構成されている。このため、上下２組の一対のささら桁２Ａ，２Ｂは、ささら桁２の長さ方向にずれ移動可能となっており、このずれ移動は、上下２組の一対のささら桁２Ａ，２Ｂのうち、一方の組の一対のささら桁が他方の組の一対のささら桁に対し、ピン４とピン５との間の間隔を半径とする回動運動することにより生ずる。
【００２２】
なお、本実施形態におけるピン４，５，７，８は、ささら桁２Ａ，２Ｂに踏み板３、脚座部材６を止着するための止着具となっているボルト及びナットのうち、ボルトの軸部によるものとなっている。
【００２３】
図４には、上側のささら桁２Ａと下側のささら桁２Ｂの全長のうち、これらのささら桁２Ａ，２Ｂの上部の構造が示されている。下側のささら桁２Ｂの上部にはフック部材９が設けられ、下側の一対のささら桁２Ｂのそれぞれに設けられているこのフック部材９は、ささら桁２Ｂにボルト及びナットによる結合具１０で結合された基部９Ａと、ささら桁２Ｂに沿って直線状に延びるこの基部９Ａの先端に、下側のささら桁２Ｂの上端を越えた位置において形成されているフック部９Ｂとからなり、このフック部９Ｂには、下向きに開口した開口部９Ｃが設けられている。これらのフック部材９は、図９及び図１０で示した仮設足場１１の構成部材となっている水平材１５に下側のささら桁２Ｂの上部を係止させるためのものである。図９及び図１０で示した仮設足場１１は、それぞれがジャッキベース１２に立設された複数本の支柱１３と、それぞれが支柱１３にクランプ１４で結合された複数本の水平材１５と、互いに水平方向に対向して配設された２本の水平材１５に架け渡され、作業者が乗って歩行や作業等を行うための作業布板１６とを含んで構築されている。フック部９Ｂの開口部９Ｃが、作業布板１６が架け渡されている２本の水平材１５のうち、一本の水平材１５に上から嵌合されることにより、この水平材１５に下側のささら桁２Ｂのフック部材９が係止され、この係止により、ジャッキベース１２が載置されている作業現場の地面１７に脚座部材６が載置されて、本実施形態に係る角度可変梯子１は仮設足場１１に傾斜して配置されることになる。
【００２４】
なお、本実施形態に係る角度可変梯子１は、脚座部材６を仮設足場の中段等の高さ位置に形成される床の上に載置することにより、この仮設足場の内部において、傾斜させて配置することもできる。
【００２５】
また、図４に示されているように、本実施形態に係る角度可変梯子１のフック部材９には、フック部９Ｂの開口部９Ｃから水平材１５が抜け出すことを防止するための部材となっているロック部材１８が配置されている。このロック部材１８には、フック部材９に固定して設けられた２個のピン１９，２０が遊合している２個の長孔２１，２２が形成されており、フック部９Ｂの開口部９Ｃを水平材１５に上から嵌合させた後に、ロック部材１８を長孔２１，２２により遊動させながら回動させて、開口部９Ｃの下側の一部をロック部材１８で閉鎖することにより、フック部９Ｂの開口部９Ｃから水平材１５が抜け出すことが防止される。
【００２６】
また、本実施形態に係る角度可変梯子１には、図９及び図１０で示す手摺り２３を取り付けることもできるようになっている。すなわち、この手摺り２３は、２本の支柱部２３Ａと、これらの支柱部２３Ａの上端部同士を連結する連結部２３Ｂとを有するものであり、本実施形態に係る角度可変梯子１には、上側の一対のささら桁２Ａの外側面において、２本の支柱部２３Ａの下部を挿入して保持するためのボックス状の２個の保持部２４が設けられ、これらの保持部２４の内部に挿入された支柱部２３Ａの下部が、止めねじ等による締付具により保持部２４に締付保持されることにより、角度可変梯子１に手摺り２３が取り付けられる。
【００２７】
前述したように、上下２組の一対のささら桁２Ａ，２Ｂは、ささら桁２の長さ方向のずれ移動可能となっており、このずれ移動を、図９及び図１０に示されているように、仮設足場１１に傾斜配置される角度可変梯子１に求められる量だけ生じさせた後に、このずれ移動を止めることにより、仮設足場１１に対する角度可変梯子１の傾斜角度を一定とするためのストップ手段３０が、図４に示されているように、上側のささら桁２Ａと下側のささら桁２Ｂの上部に設けられている。このストップ手段３０は、図３に示されているように、脚座部材６と同様に、一対を形成するために２本となっているささら桁２ごとに設けられている。
【００２８】
図５に示されているように、ストップ手段３０は、下側のささら桁２Ｂに結合された板状部材３１と、上側のささら桁２Ａに結合された連結部材３２と、雄ねじ部材３３と、雌ねじ部材３４とを含んで構成されたものとなっている。図６には板状部材３１が示され、図６（Ａ）は正面図、図６（Ｂ）は側面図である。これらの図から分かるように板状部材３１は、板金の打ち抜き及び折り曲げにより形成されたものであって、本体部３１Ａと、この本体部３１Ａの前端から９０度の角度をなして屈曲している補強部３１Ｂとを有する。本体部３１Ａの下部には、フック部材９を下側のささら桁２Ｂに結合するための前述のボルト及びナットによる結合具１０のボルトの軸部を挿入するための複数個の孔３１Ｃが形成されており、これらの孔３１Ｃにより、板状部材３１は、フック部材９と共に下側のささら桁２Ｂに結合具１０により共締めされて結合されている。
【００２９】
また、図５に示されているように、連結部材３２は、上側のささら桁２Ａの長さ方向に直線的に延びる板状の部材であり、基部が上側のささら桁２Ａにボルト及びナットによる結合具３５で結合されているこの連結部材３２の先端部には丸孔３６が設けられている。雄ねじ部材３３は、頭部３３Ａと、この頭部３３Ａから雄ねじ部材３３の軸方向の厚さを有する四角形部３３Ｂを介して軸方向に延出した軸部３３Ｃとからなり、この軸部３３Ｃの外周面に雄ねじ３７が刻設されている。四角形部３３Ｂは、雄ねじ部材３３の軸方向と直交する断面形状が正四角形となっているものであり、この四角形部３３Ｂの４個の角部３８が、雄ねじ部材３３の外径方向に突出している雄ねじ部材３３の突出部となっている。このように雄ねじ部材３３は、頭部３３Ａと軸部３３Ｃとの間において、雄ねじ部材３３の軸方向の厚さを有する四角形部３３Ｂを備えたものとなっているため、この雄ねじ部材３３は角根ボルトとなっている。
【００３０】
雌ねじ部材３４は、雄ねじ部材３３に螺合されるねじ部材であって、作業者により回転操作される回転操作部３４Ａを有する回転操作部材ともなっている。図８には、雄ねじ部材３３に螺合されたときの雌ねじ部材３４が示されており、この図８から分かるように、雌ねじ部材３４には大径の回転操作部３４Ａから突出した筒状部３４Ｂが設けられ、この筒状部３４Ｂの内部の内周面に、雄ねじ部材３３の雄ねじ３７に螺合する雌ねじ３９が刻設されている。なお、本実施形態では、この筒状部３４Ｂの内部に有底筒状部材４０を挿入固定し、この有底筒状部材４０を、内周面に雌ねじ３９が刻設されたものとしている。
【００３１】
図５及び図６（Ｂ）に示されているように、板状部材３１の本体部３１Ａには湾曲状の長孔４１が形成されており、この湾曲状の長孔４１は、図８にも示されている。この図８に示されているように、雄ねじ部材３３の軸部３３Ｃを湾曲状の長孔４１に挿通した後に、雄ねじ部材３３の四角形部３３Ｂは湾曲状の長孔４１に挿入され、そして、雄ねじ部材３３の軸部３３Ｃは、図５にも示されている連結部材３２の先端部に設けられている丸孔３６に挿入される。この丸孔３６から突出した軸部３３Ｃの雄ねじ３７に雌ねじ部材３４の雌ねじ３９を螺合させ、雌ねじ部材３４を回転操作部３４Ａの回転操作により雄ねじ部材３３に対して前進させると、雄ねじ部材３３の頭部３３Ａと雌ねじ部材３４の筒状部３４Ｂの先端部とが、図８に示されているように、板状部材３１の本体部３１Ａと連結部材３２とを挟着することになり、このときには、雄ねじ部材３３の頭部３３Ａは、板状部材３１の本体部３１Ａに当接している。
【００３２】
なお、板状部材３１の本体部３１Ａに設けられている湾曲状の長孔４１は、一定の曲率半径で湾曲している長孔であり、この曲率半径は、図２で示されているそれぞれの踏み板３をピン４を中心に回動させることにより、上側のささら桁２Ａが下側のささら桁２Ｂに対して回動のずれ移動を行ったときに、連結部材３２の丸孔３６が描くことになる円弧軌跡の曲率半径と同じになっている。
【００３３】
図６（Ｂ）に示されているように、湾曲状の長孔４１には、この長孔４１の幅方向両側において、この幅方向外側へ窪んだ窪み部４１Ａが設けられ、この窪み部４１Ａは、湾曲状の長孔４１の長さ方向に複数個設けられている。それぞれの窪み部４１Ａは、雄ねじ部材３３の四角形部３３Ｂの前述した角部３８と対応する形状を有するものであり、このため、これらの窪み部４１Ａは、開き角度が９０度になっているＶ字状になっている。また、長孔４１の幅方向両側に設けられている窪み部４１Ａの位置関係は、図７に示されているように、四角形部３３Ｂに４個設けられている角部３８のうち、１個の角部３８が、長孔４１の幅方向両側のうち、一方の側に設けられている窪み部４１Ａに挿入係合したときに、この角部３８と対角位置にある別の角部３８が、長孔４１の幅方向両側のうち、他方の側に設けられている窪み部４１Ａに挿入係合する位置関係となっている。さらに、湾曲状の長孔４１の長さ方向両端部は、窪み部４１Ａと同様に、角部３８を挿入係合させることができる開き角度が９０度の端部４１Ｂとなっている。
【００３４】
図８には、雄ねじ部材３３の四角形部３３Ｂの角部３８が、湾曲状の長孔４１の窪み部４１Ａに挿入係合している状態が示されている。
【００３５】
板状部材３１や雄ねじ部材３３、雌ねじ部材３４等で構成されているストップ手段３０は、以上のように構成されているため、図８に示されているように、雄ねじ部材３３と共に板状部材３１と連結部材３２を挟着していた雌ねじ部材３４を回転操作部３４Ａの逆回転操作により雄ねじ部材３３から後退させ、次いで、雌ねじ部材３４と雄ねじ部材３３をこれらのねじ部材３３，３４の軸方向に移動させて、雄ねじ部材３３の四角形部３３Ｂの角部３８を湾曲状の長孔４１の窪み部４１Ａから抜け出させ、雄ねじ部材３３の軸部３３Ｃを湾曲状の長孔４１の位置と一致させた後に、上側のささら桁２Ａを下側のささら桁２Ｂに対して回動のずれ移動させることにより、雌ねじ部材３４と、この雌ねじ部材３４に螺合している雄ねじ部材３３とを、雄ねじ部材３３の軸部３３Ｃが湾曲状の長孔４１の内部を移動することで、この湾曲状の長孔４１に対して移動させることができる。そして、この後に、雌ねじ部材３４と雄ねじ部材３３とを、これらのねじ部材３３，３４の軸方向に移動させることにより、雄ねじ部材３３の四角形部３３Ｂの角部３８を湾曲状の長孔４１の上述の窪み部４１Ａとは別の窪み部４１Ａに挿入係合することができ、次いで、雌ねじ部材３４の回転操作部３４Ａを正回転操作することにより、図８に示されているように、再び雌ねじ部材３４と雄ねじ部材３３により板状部材３１と連結部材３２を挟着することができる。
【００３６】
これにより、前述した平行リンク機構を構成している上下２組の一対のささら桁２Ａ，２Ｂについてのささら桁長さ方向のずれ移動は、ストップ手段３０により止められることなり、これらの組の一対のささら桁２Ａと２Ｂは、所定の位置関係に維持される。
【００３７】
上述したように雌ねじ部材３４を、回転操作部３４Ａの回転操作により正回転させたり、逆回転させたりしたときには、この雌ねじ部材３４の回転は雄ねじ部材３３に伝達されるため、この雄ねじ部材３３も回転しようとするが、この雄ねじ部材３３には、下側のささら桁２Ｂに結合されている板状部材３１に形成された湾曲状の長孔４１の窪み部４１Ａに挿入係合している角部３８を備えた四角形部３３Ｂが設けられているため、雄ねじ部材３３の外径方向に突出している突出部となっているこの角部３８は、雄ねじ部材３３が雌ねじ部材３４と一体に共回りとすることを阻止するための雄ねじ部材３３の回り止め部となり、また、湾曲状の長孔４１に設けられ、角部３８が挿入係合した窪み部４１Ａは、この湾曲状の長孔４１の係合部となって、上述の回り止め部と協働して雄ねじ部材３３が雌ねじ部材３４と一体に共回りとすることを阻止することになる。
【００３８】
上述のように上下２組の一対のささら桁２Ａ，２Ｂをささら桁長さ方向へのずれ移動させる量は、図９及び図１０に示されているように、本実施形態に係る角度可変梯子１が仮設足場１１に配置されるときのこの角度可変梯子１の傾斜角度に応じた量に設定される。上下２組のささら桁２Ａ，２Ｂが接触状態又は略接触状態となっていたときと比較すると、図９に示されているように、この傾斜角度が大きい場合には、ずれ移動量を大きくし、図１０に示されているように、この傾斜角度が小さい場合には、ずれ移動量を小さくする。これらのいずれの場合にも、それぞれの踏み板３と脚座部材６が作業現場の地面１７と平行又は略平行となる水平又は略水平になるまで上記ずれ量を生じさせる。
【００３９】
以上説明した本実施形態によると、回転操作部材となっている雌ねじ部材３４の回転が伝達される雄ねじ部材３３には、下側のささら桁２Ｂに結合されている板状部材３１に形成された湾曲状の長孔４１の窪み部４１Ａに挿入係合可能となった角部３８を備えた四角形部３３Ｂが設けられているため、雄ねじ部材３３の外径方向に突出した突出部となっているこの角部３８は、湾曲状の長孔４１に係合部として設けられている窪み部４１Ａに挿入係合することにより、雄ねじ部材３３が雌ねじ部材３４と一体に共回りとすることを阻止するための雄ねじ部材３３の回り止め部となっている。このため、雄ねじ部材３３を上側にささら桁２Ａに溶接等で固定する必要がなく、この雄ねじ部材３３を上側のささら桁２Ａに連結するためには、このささら桁２Ａに設けた連結部材３２の丸孔３６に雄ねじ部材３３の軸部３３Ｃを単に挿入するだけでよいため、雄ねじ部材３３を上側のささら桁２Ａに連結するための構造及び作業を簡単化することができる。
【００４０】
また、本実施形態による、湾曲状の長孔４１の窪み部４１Ａは、この長孔４１の長さ方向に複数個設けられているため、上下２組の一対のささら桁２Ａ，２Ｂのささら桁長さ方向へのずれ移動量を多段階に調節することができて、仮設足場１１に対する角度可変梯子１の傾斜角度を多数角度に変更することができる。また、湾曲状の長孔４１の長さ方向両端部は、前述したように雄ねじ部材３３の四角形部３３Ｂの角部３８を挿入係合することができる端部４１Ｂとなっているため、湾曲状の長孔４１の全長を利用して、上下２組の一対のささら桁２Ａ，２Ｂのささら桁長さ方向へのずれ移動量を調節できる。
【００４１】
さらに、雄ねじ部材３３の四角形部３３Ｂの角部３８が湾曲状の長孔４１の窪み部４１Ａに挿入係合した後は、雄ねじ部材３３に対する雌ねじ部材３４の締め付けが緩むことがあっても、角部３８の窪み部４１Ａへの係合により、雄ねじ部材３３及び雌ねじ部材３４が湾曲状の長孔４１に沿って移動することを阻止できる。
【００４２】
また、湾曲状の長孔４１が形成されている板状部材３１は、図６で説明したように、湾曲状の長孔４１が設けられている本体部３１Ａと、この本体部３１Ａから角度をなして屈曲している補強部３１Ｂとを有するものになっているため、湾曲状の長孔４１を板状部材３１に形成しても、湾曲状の長孔４１が設けられている本体部３１Ａ及びこの湾曲状の長孔４１が変形することを補強部３１Ｂの補強作用によって防止でき、これにより、湾曲状の長孔４１の窪み部４１Ａや端部４１Ｂに雄ねじ部材３３の四角形部３３Ｂの角部３８が挿入係合することを一層確実に実施することができる。
【００４３】
また、本実施形態よると、図３から分かるように、一対を形成するために２本となっているささら桁２のそれぞれにストップ手段３０が設けられているとともに、これらのストップ手段３０に回転操作部材となって設けられている２個の雌ねじ部材３４は、本実施形態に係る角度可変梯子１の幅方向外向きに配置されているため、これらの雌ねじ部材３４を作業者が容易に回転操作することができる。
【００４４】
図１１は、別実施形態に係るストップ手段１３０を示す。このストップ手段１３０も、下側のささら桁２Ｂに結合された板状部材１３１と、上側のささら桁２Ａに結合された連結部材１３２と、雄ねじ部材１３３と、雌ねじ部材１３４とを含んで構成されている。板状部材１３１には湾曲状の長孔１４１が形成され、この長孔１４１の幅方向両側にも、長孔１４１の幅方向外側へ窪んだ窪み部１４１Ａが長孔１４１の長さ方向に複数個設けられている。雌ねじ部材１３４には、この雌ねじ部材１３４の軸方向と直交する断面形状が正四角形となっている四角形部１３４Ｂが、雌ねじ部材１３４の頭部１３４Ａと一体に形成されており、この四角形部１３４Ｂには４個の角部１３８が設けられている。そして、頭部１３４Ａと四角形部１３４Ｂの内部には有底筒状部材１４０が挿入固定されており、この有底筒状部材１４０の内周面に雌ねじ１３９が刻設されている。雄ねじ部材１３３は、回転操作ざれる回転操作部１３３Ａと、この回転操作部１３３Ａから突出した筒状部１３３Ｂとを有し、この筒状部１３３Ｂの内部に、雌ねじ部材１３４の雌ねじ１３９と螺合する雄ねじ１３７が外周面に刻設されている雄ねじ軸１４２を保持した保持部材１４３が挿入固定されている。
【００４５】
雌ねじ部材１３４の有底筒状部材１４０の先部を連結部材１３２に設けられている丸孔１３６の内部に挿入して、雌ねじ部材１３４の四角形部１３４Ｂの角部１３８を湾曲状の長孔１４１の窪み部１４１Ａに挿入係合した後に、雄ねじ部材１３３の雄ねじ軸１４２の先部を雌ねじ部材１３４の有底筒状部材１４０の内部に挿入し、雄ねじ部材１３３を回転操作部１３３Ａの正回転操作で回転させると、雄ねじ部材１３３が雌ねじ部材１３４に対して前進することにより、前記実施形態と同様に、雄ねじ部材１３３と雌ねじ部材１３４が板状部材１３１と連結部材１３２を挟着し、この挟着は、雌ねじ部材１３４の頭部１３４Ａが板状部材１３１に当接して行われる。
【００４６】
この実施形態から分かるように、雄ねじ部材と雌ねじ部材のうち、回転操作されるねじ部材を、前記実施形態とは異なり、雄ねじ部材としてもよい。
【産業上の利用可能性】
【００４７】
本発明は、建築や土木等の作業現場で構築される仮設足場に、傾斜角度を変化させて配置される角度可変梯子に利用することができる。
【符号の説明】
【００４８】
１  仮設足場用角度可変梯子
２  ささら桁
２Ａ  上側のささら桁
２Ｂ  下側のささら桁
３  踏み板
１１  仮設足場
３０，１３０  ストップ手段
３１  １３１  板状部材
３１Ａ  本体部
３１Ｂ  補強部
３２，１３２  連結部材
３３，１３３  雄ねじ部材
３３Ａ  頭部
３３Ｂ  四角形部
３４，１３４  雌ねじ部材
３６，１３６  丸孔
３７，１３７  雄ねじ
３８，１３８  回り止め部であって、突出部ともなっている角部
３９，１３９  雌ねじ
４１，１４１  湾曲状の長孔
４１Ａ，１４１Ａ  係合部となっている窪み部
１３４Ａ  頭部
１３４Ｂ  四角形部
【図１】
2019099993.tif 000003
【図２】
2019099993.tif 000004
【図３】
2019099993.tif 000005
【図４】
2019099993.tif 000006
【図５】
2019099993.tif 000007
【図６】
2019099993.tif 000008
【図７】
2019099993.tif 000009
【図８】
2019099993.tif 000010
【図９】
2019099993.tif 000011
【図１０】
2019099993.tif 000012
【図１１】
2019099993.tif 000013